(57)【特許請求の範囲】
【請求項１】
直流電源に接続された１乃至複数のスイッチング素子を具備し負荷に高周波電力を供給する増幅部と、１次巻線と１乃至複数の２次巻線がコアに巻回されて成る駆動トランスと、水晶発振子を用いて高周波信号を出力する発振部、該発振部の高周波信号を増幅して前記駆動トランスの１次巻線に供給するプリアンプ部を有し前記駆動トランスの２次巻線に接続された各スイッチング素子を駆動する駆動部と、前記増幅部、駆動トランス並びに駆動部を構成する各回路部品が実装されたプリント基板と、前記各部を含む範囲で該プリント基板上の略全面に形成されるグランドパターンとを備えた電力増幅回路において、前記増幅部の少なくとも何れか１つのスイッチング素子と前記発振部との間の前記グランドパターン上におけるインピーダンスを増大させる第１の間隙を該グランドパターンに設け、前記駆動トランス近傍のグランドパターンに第２の間隙を設けるとともに当該第２の間隙を前記第１の間隙に接続したことを特徴とする電力増幅回路。
【請求項２】
前記第１の間隙は、前記グランドパターンを伝って前記スイッチング素子から前記発振部に至る最短経路を、該発振部とスイッチング素子との最短の間隔よりも長くすることを特徴とする請求項１記載の電力増幅回路。
【請求項３】
前記増幅部と駆動部との境界近傍に前記第１の間隙を設けたことを特徴とする請求項１又は２記載の電力増幅回路。
【請求項４】
前記第２の間隙を前記グランドパターンの端部まで連続して形成した前記駆動トランス近傍のグランドパターンに第２の間隙を設けたことを特徴とする請求項１〜３の何れか記載の電力増幅回路。
【請求項５】
前記増幅部は、２つのスイッチング素子を具備したＤ級増幅回路から成ることを特徴とする請求項１〜４の何れかに記載の電力増幅回路。
【請求項６】
前記増幅部がＣ級又はＥ級増幅回路から成ることを特徴とする請求項１〜４の何れかに記載の電力増幅回路。
【請求項７】
前記プリアンプ部がＣ級又はＥ級増幅回路から成ることを特徴とする請求項１〜６の何れかに記載の電力増幅回路。
【請求項８】
直流電源に接続された１乃至複数のスイッチング素子を具備し負荷に高周波電力を供給する増幅部と、１次巻線と１乃至複数の２次巻線がコアに巻回されて成る駆動トランスと、水晶発振子を用いて高周波信号を出力する発振部、該発振部の高周波信号を増幅して前記駆動トランスの１次巻線に供給するプリアンプ部を有し前記駆動トランスの２次巻線に接続された各スイッチング素子を駆動する駆動部と、前記増幅部、駆動トランス並びに駆動部を構成する各回路部品が実装されたプリント基板と、前記各部を含む範囲で該プリント基板上の略全面に形成されるグランドパターンとを備えた電力増幅回路において、前記増幅部の少なくとも何れか１つのスイッチング素子と前記発振部との間の前記グランドパターン上におけるインピーダンスを増大させ且つ前記増幅部と駆動部との境界近傍の前記グランドパターンに設けられる第１の間隙と、該第１の間隙に接続され前記駆動トランス近傍の前記グランドパターンから該グランドパターンの端部まで連続して形成される第２の間隙と、２つのスイッチング素子を具備したＤ級増幅回路から成る前記増幅部と、Ｃ級又はＥ級増幅回路から成る前記プリアンプ部とを備え、ガラスバルブ内に放電ガスを封入した無電極放電灯を有する前記負荷に高周波電力を供給することを特徴とする電力増幅回路。
【発明の詳細な説明】
【０００１】
【発明の属する技術分野】
本発明は、負荷に高周波電力を供給する電力増幅回路に関するものである。
【０００２】
【従来の技術】
図9は従来の電力増幅回路の一例を示している。この従来例１は、負荷である無電極放電灯107に近接配置された高周波電力供給用コイル108に対して数ＭＨｚから数百ＭＨｚの高周波電流を流すことにより高周波電力供給用コイル108に高周波磁界を発生させて高周波電力を無電極放電灯107に供給するものであって、水晶振動子Ｘを用いた発振部101と、発振部101の出力を増幅する、Ｃ級増幅回路により構成されたプリアンプ部102と、ＦＥＴ等のスイッチング素子を具備した所謂Ｄ級増幅回路で構成されたメインアンプ部105と、インピーダンスマッチングを取るためのマッチング部104と、高周波電力供給用コイル108に流れる高周波電流を検出するための検出用抵抗Ｒｘとを備え、銅箔から成る配線パターン111が形成されたプリント基板に上記各部を構成する回路部品が実装されて構成される。なお、メインアンプ部105の電源として直流電源Ｅが、発振部101並びにプリアンプ部102の電源として直流電源Ｖｃが各々配線パターン111に接続される。
【０００３】
上記従来例１では、検出用抵抗Ｒｘのグランドパターン111aと、発振部101及びプリアンプ部102のグランドパターン111bとを遠ざけることにより、メインアンプ部105、マッチング部104並びに高周波電力供給用コイル108から検出用抵抗Ｒｘに流れる電流の雑音が減少し、検出用抵抗Ｒｘによる検出精度を向上させている。このように高周波動作する電力増幅回路においては、プリント基板上の配線パターンの設計が重要であり、それによって回路動作の安定性が左右される。
【０００４】
図１０は他の従来例（以下、「従来例２」という。）を示す回路図である。この従来例２は、直流電源Ｅ１に接続された２つの電界効果トランジスタ（以下、「スイッチング素子」と呼ぶ。）Ｑ１，Ｑ２具備して負荷Ｒ０に高周波電力を供給する、Ｄ級増幅回路から成る増幅部４と、１次巻線と２つの２次巻線がコアに巻回されて成る駆動トランスＴ１と、水晶発振子Ｘを用いて高周波信号を出力する発振部２、電界効果トランジスタ（以下、「スイッチング素子」と呼ぶ。）Ｑ３を具備して発振部２の高周波信号を増幅して駆動トランスＴ１の１次巻線に供給するプリアンプ部３を有し、駆動トランスＴ１の２次巻線に接続された各スイッチング素子Ｑ１，Ｑ２を駆動する駆動部１とを備えている。
【０００５】
ところで上記構成を有する従来例２では、図１１及び図１２に示すように、スリット１０ａにより略中央で２つの部分に分かれる略コ字状に形成されたプリント基板１０の一方の部分に上記各部を構成する回路部品が実装され、他方の部分には商用の交流電源から上記直流電源Ｅ１，Ｅ２を作成する電源回路５を構成する回路部品（図示せず）が実装され、このプリント基板１０が、金属のような導電性材料により略箱形に形成されたケース２０に収納されている。
【０００６】
また、このケース２０には、プリント基板１０のスリット１０ａに嵌合する帯板状の仕切板２１が立設されており、この仕切板２１も同じく導電性材料で形成され、ケース２０と仕切板２１とが同電位になるようにしてある。すなわち、プリント基板１０をケース２０に収納した状態では、上記電源回路５と、高周波動作を行う駆動部１及び増幅部４とが仕切板２１により互いにシールドされるのである。ここで、スイッチング素子Ｑ１〜Ｑ３はケース２０に接触させて効率良く放熱を行なうため、プリント基板１０の端部に配置されており、さらに、増幅部４が具備するスイッチング素子Ｑ１，Ｑ２の近傍に駆動トランスＴｌが配置してある。なお、負荷Ｒ０に対してはケース２０に取り付けられるケーブル２２によって高周波電力が供給される。
【０００７】
【発明が解決しようとする課題】
一方、図１３はプリント基板１０上で電力増幅回路が実装されている部分のみを表した図である。プリント基板１０上の増幅部４及び駆動部１の領域には略全面にグランドパターン１１が形成されることでグランドのインピーダンスを低下させて、高周波での回路動作を安定化させている。但し、駆動トランスＴ１の周囲付近のグランドパターンに間隙１３を開けているが、これは、駆動トランスＴ１とグランドパターン１１との距離が近すぎると、Ｃ結合により動作が不安定になるためである。
【０００８】
而して、駆動トランスＴ１は高周波で動作するため、その配置及び配線パターンに以下のような制約がある。すなわち、スイッチング素子Ｑ１，Ｑ２が高周波でスイッチング動作するため、これら2つのスイッチング素子Ｑ１，Ｑ２のゲートと駆動部１とを接続するための配線パターンは短くする必要がある。また前述のように、Ｃ結合による動作不安定を防ぐためには駆動トランスＴ１近傍のグランドパターン１１に間隙１３を開ける必要がある。
【０００９】
このような制約に伴い、駆動トランスＴ１近傍のグランドパターン１１が狭くなって電流の流路が片寄ったり、制限されたりする場合がある。例えば、図１３に示すように増幅部４のスイッチング素子Ｑ２のソース端子から直流電源Ｅ１に、グランドパターン１１の両側を通って高周波成分を含む電流ｉｌ，ｉ２が流れるが、この時、スイッチング素子Ｑ１側のグランドパターン１１を流れる電流ｉ２は駆動部１の発振部２近傍を横切るために、増幅部４からの高周波電流に起因する雑音によって、水晶振動子Ｘを用いて比較的低電流で動作している発振部２の動作が不安定になるという問題があった。
【００１０】
本発明は上記問題点の解決を目的とするものであり、増幅部からグランドパターンを通って発振部の近傍を流れる高周波成分を含んだ電流を減少させて発振部の動作が不安定になるのを防止した電力増幅回路を提供しようとするものである。
【００１１】
【課題を解決するための手段】
請求項１の発明は、上記目的を達成するため、直流電源に接続された１乃至複数のスイッチング素子を具備し負荷に高周波電力を供給する増幅部と、１次巻線と１乃至複数の２次巻線がコアに巻回されて成る駆動トランスと、水晶発振子を用いて高周波信号を出力する発振部、該発振部の高周波信号を増幅して前記駆動トランスの１次巻線に供給するプリアンプ部を有し前記駆動トランスの２次巻線に接続された各スイッチング素子を駆動する駆動部と、前記増幅部、駆動トランス並びに駆動部を構成する各回路部品が実装されたプリント基板と、前記各部を含む範囲で該プリント基板上の略全面に形成されるグランドパターンとを備えた電力増幅回路において、前記増幅部の少なくとも何れか１つのスイッチング素子と前記発振部との間の前記グランドパターン上におけるインピーダンスを増大させる第１の間隙を該グランドパターンに設け、前記駆動トランス近傍のグランドパターンに第２の間隙を設けるとともに当該第２の間隙を前記第１の間隙に接続したことを特徴とし、増幅部からグランドパターンを通って発振部の近傍を流れる高周波成分を含んだ電流を減少させて発振部の動作が不安定になるのを防止することができ、また、駆動トランスとグランドパターンとの距離を遠ざけてＣ結合により動作が不安定になるのを防止できるとともに、増幅部から駆動部に流れる、高周波成分を含んだ電流を減少させることができる。
【００１２】
請求項２の発明は、請求項１の発明において、前記第１の間隙が、前記グランドパターンを伝って前記スイッチング素子から前記発振部に至る最短経路を、該発振部とスイッチング素子との最短の間隔よりも長くすることを特徴とし、増幅部からグランドパターンを通って発振部の近傍を流れる高周波成分を含んだ電流を減少させて発振部の動作が不安定になるのを防止することができる。
【００１３】
請求項３の発明は、請求項１又は２の発明において、前記増幅部と駆動部との境界近傍に前記第１の間隙を設けたことを特徴とし、増幅部から駆動部に流れる、高周波成分を含んだ電流を減少させることができる。
【００１６】
請求項４の発明は、請求項１〜３の何れかの発明において、前記第２の間隙を前記グランドパターンの端部まで連続して形成したことを特徴とし、増幅部から駆動部に流れる、高周波成分を含んだ電流を減少させることができる。
【００１７】
請求項５の発明は、請求項１〜４の何れかの発明において、前記増幅部が、２つのスイッチング素子を具備したＤ級増幅回路から成ることを特徴とし、動作周波数が高周波であってもスイッチング素子のスイッチング損失を抑えることができる。
【００１８】
請求項６の発明は、請求項１〜４の何れかの発明において、前記増幅部がＣ級又はＥ級増幅回路から成ることを特徴とし、スイッチング素子が１個で済むことから構成の簡素化が図れるとともに、動作周波数が高周波であってもスイッチング素子のスイッチング損失を抑えることができる。
【００１９】
請求項７の発明は、請求項１〜６の何れかの発明において、前記プリアンプ部がＣ級又はＥ級増幅回路から成ることを特徴とし、スイッチング素子が１個で済むことから構成の簡素化が図れるとともに、動作周波数が高周波であってもスイッチング素子のスイッチング損失を抑えることができる。
【００２０】
請求項８の発明は、上記目的を達成するために、直流電源に接続された１乃至複数のスイッチング素子を具備し負荷に高周波電力を供給する増幅部と、１次巻線と１乃至複数の２次巻線がコアに巻回されて成る駆動トランスと、水晶発振子を用いて高周波信号を出力する発振部、該発振部の高周波信号を増幅して前記駆動トランスの１次巻線に供給するプリアンプ部を有し前記駆動トランスの２次巻線に接続された各スイッチング素子を駆動する駆動部と、前記増幅部、駆動トランス並びに駆動部を構成する各回路部品が実装されたプリント基板と、前記各部を含む範囲で該プリント基板上の略全面に形成されるグランドパターンとを備えた電力増幅回路において、前記増幅部の少なくとも何れか１つのスイッチング素子と前記発振部との間の前記グランドパターン上におけるインピーダンスを増大させ且つ前記増幅部と駆動部との境界近傍の前記グランドパターンに設けられる第１の間隙と、該第１の間隙に接続され前記駆動トランス近傍の前記グランドパターンから該グランドパターンの端部まで連続して形成される第２の間隙と、２つのスイッチング素子を具備したＤ級増幅回路から成る前記増幅部と、Ｃ級又はＥ級増幅回路から成る前記プリアンプ部とを備え、ガラスバルブ内に放電ガスを封入した無電極放電灯を有する前記負荷に高周波電力を供給することを特徴とし、増幅部からグランドパターンを通って発振部の近傍を流れる高周波成分を含んだ電流を減少させて発振部の動作が不安定になるのを防止することができ、また増幅部から駆動部に流れる、高周波成分を含んだ電流を減少させることができ、さらに駆動トランスとグランドパターンとの距離を遠ざけてＣ結合により動作が不安定になるのを防止でき、動作周波数が高周波であってもスイッチング素子のスイッチング損失を抑えることができるとともに、無電極放電灯を点灯させることができる。
【００２１】
【発明の実施の形態】
（実施形態１）
図１は本発明の実施形態１の電力増幅回路をプリント基板上に実装した状態を示す平面図である。なお、本実施形態における回路構成並びに回路動作については従来例と共通であるので、共通する部分には同一の符号を付して図示並びに説明を省略し、本実施形態の特徴となる構成についてのみ説明する。
【００２２】
本実施形態が図１３に示した従来例と異なる点は、図１に示すように略全面にグランドパターン１１が形成されたプリント基板１０上において、増幅部４を構成する回路部品（例えば、スイッチング素子Ｑ１，Ｑ２など）が実装された領域Ａ１（図１に点線で示す）と、発振部２やプリアンブ部３から成る駆動部１を構成する回路部品（水晶発振子Ｘやスイッチング素子Ｑ３など）が実装された領域Ａ２（図１に一点破線で示す）との境界線にほぼ沿ってグランドパターン１１に間隙（第１の間隙）１２を設けた点にあり、この第１の間隙１２によって、増幅部４の少なくとも何れか１つのスイッチング素子Ｑ１（Ｑ２）と発振部２との間のグランドパターン１１上におけるインピーダンスを増大させている。
【００２３】
ここで、駆動トランスＴ１近傍のグランドパターン１１に間隙（第２の間隙）１３を設けることによって、駆動トランスＴ１とグランドパターン１１との距離を遠ざけ、両者のＣ結合により動作が不安定になるのを防止している。また、この第２の間隙１３に第１の間隙１２の一端が接続してある。すなわち、スイッチング素子Ｑ２と発振部２との間のグランドパターン１１に第１の間隙１２が設けてあるため、グランドパターン１１を伝ってスイッチング素子Ｑ２から発振部２に至る最短経路が発振部２とスイッチング素子Ｑ２との最短の間隔よりも長くなり、その間のインピーダンスが増大する。
【００２４】
而して、回路動作時に増幅部４のスイッチング素子Ｑ２のソース端子からグランドパターン１１を通って直流電源Ｅ１，Ｅ２を供給する電源回路５側へ流れる高周波成分を含んだ電流が、従来例では他方のスイッチング素子Ｑ１に近い経路を通る電流ｉ２とスイッチング素子Ｑ１から遠い経路を通る電流ｉ１であったが（図１３参照）、本実施形態では第１の間隙１２によってスイッチング素子Ｑ２と駆動部１との間のインピーダンスが増大しているため、スイッチング素子Ｑ１から遠い経路を通る電流（駆動部１の発振部２から離れた経路を通る電流）ｉ３のみとなる。その結果、増幅部４からグランドパターン１１を通って発振部２の近傍を流れる高周波成分を含んだ電流が減少し、発振部２の動作が不安定になるのを防止することができる。
【００２５】
なお、本実施形態の電力増幅回路の負荷Ｒ０を無電極放電灯とし、増幅部４から出力される高周波電力の周波数を数百ｋＨｚ以上、望ましくは数ＭＨｚから数百ＭＨｚに設定すれば、無電極放電灯点灯装置が構成できる。
【００２６】
（実施形態２）
図２は本発明の実施形態２の電力増幅回路をプリント基板上に実装した状態を示す平面図である。本実施形態が実施形態１と異なる点は、第１の間隙１２を断続的に形成した点にあり、それ以外の構成並びに動作については実施形態１と共通であるから図示並びに説明を省略する。
【００２７】
而して、回路動作時に増幅部４のスイッチング素子Ｑ２のソース端子からグランドパターン１１を通って直流電源Ｅ１，Ｅ２を供給する電源回路５側へ流れる高周波成分を含んだ電流は、わずかに一部の電流ｉ５がスイッチング素子Ｑ１に近い経路を流れるが、その大部分がスイッチング素子Ｑ１から遠い経路を通る電流（駆動部１の発振部２から離れた経路を通る電流）ｉ４となる。その結果、従来例に比較して、増幅部４からグランドパターン１１を通って発振部２の近傍を流れる高周波成分を含んだ電流が減少し、発振部２の動作が不安定になるのを防止することができる。
【００２８】
（実施形態３）
図３は本発明の実施形態３の電力増幅回路をプリント基板上に実装した状態を示す平面図である。本実施形態が実施形態１と異なる点は、スイッチング素子Ｑ１，Ｑ２から遠い側の領域Ａ１，Ａ２の境界線を一部通り、領域Ａ２側のグランドパターン１１端部近傍まで延びた第３の間隙１４を設けた点にあり、それ以外の構成並びに動作については実施形態１と共通であるから図示並びに説明を省略する。
【００２９】
而して、本実施形態によれば、グランドパターン１１を伝ってスイッチング素子Ｑ２から発振部２に至る経路の距離が実施形態１の場合よりも大きくなり、そのために両者間のインピーダンスも増大する。その結果、回路動作時に増幅部４のスイッチング素子Ｑ２のソース端子からグランドパターン１１を通って直流電源Ｅ１，Ｅ２を供給する電源回路５側へ流れる高周波成分を含んだ電流は、図３に示すように第３の間隙１４よりもスイッチング素子Ｑ１，Ｑ２から遠い側を通る電流ｉ６のみとなり、実施形態１に比較して、増幅部４からグランドパターン１１を通って発振部２の近傍を流れる高周波成分を含んだ電流がさらに減少し、発振部２の動作が不安定になるのをより確実に防止することができる。
【００３０】
（実施形態４）
図４は本発明の実施形態４を示す回路図である。本実施形態が実施形態１〜３の回路構成と異なる点は、増幅部４’が１つのスイッチング素子Ｑ４とインダクタＬ１，Ｌ２並びにコンデンサＣ１，Ｃ２で構成される、所謂Ｅ級増幅回路から成り、プリアンプ部３の出力が駆動トランスＴ２を介して上記スイッチング素子Ｑ４のゲートに印加される点にあり、その他の構成並びに動作は共通であるから説明は省略する。
【００３１】
また、図５は本実施形態をプリント基板上に実装した状態を示す平面図であり、実施形態１と同様に増幅部４’を構成する回路部品（スイッチング素子Ｑ４など）が実装された領域Ａ１（図５に点線で示す）と、発振部２やプリアンプ部３から成る駆動部１を構成する回路部品が実装された領域Ａ２（図５に一点破線で示す）との境界線にほぼ沿ってグランドパターン１１に間隙（第１の間隙）１２が設けてある。
【００３２】
而して、本実施形態においても、第１の間隙１２によって増幅部４’のスイッチング素子Ｑ４と発振部２との間のグランドパターン１１上におけるインピーダンスを増大させているので、回路動作時に増幅部４’のスイッチング素子Ｑ４のソース端子からグランドパターン１１を通って直流電源Ｅ１，Ｅ２を供給する電源回路５側へ流れる高周波成分を含んだ電流が、駆動部１の発振部２から離れた経路を通る電流ｉ７のみとなる。その結果、増幅部４’からグランドパターン１１を通って発振部２の近傍を流れる高周波成分を含んだ電流が減少し、発振部２の動作が不安定になるのを防止することができる。
【００３３】
なお、本実施形態の回路構成においても、図６に示すような実施形態２と同様の断続的な第１の間隙１２を設けたり、図７に示すような実施形態３と同様の第３の間隙１４を設けるようにしてもよい。
【００３４】
（実施形態５）
図８は本発明の実施形態５を示す回路図である。本実施形態は、増幅部４”が１つのスイッチング素子Ｑ４とインダクタＬ１並びにコンデンサＣ１〜Ｃ３で構成される、所謂Ｃ級増幅回路から成り、プリアンプ部３の出力が駆動トランスＴ２を介して上記スイッチング素子Ｑ４のゲートに印加される点に特徴があり、その他の構成、動作並びにプリント基板上への実装状態は実施形態４と共通であるから説明は省略する。
【００３５】
而して、本実施形態においても、第１の間隙１２によって増幅部４”のスイッチング素子Ｑ４と発振部２との間のグランドパターン１１上におけるインピーダンスを増大させ、回路動作時に増幅部４”のスイッチング素子Ｑ４のソース端子からグランドパターン１１を通って直流電源Ｅ１，Ｅ２を供給する電源回路５側へ流れる高周波成分を含んだ電流が、駆動部１の発振部２から離れた経路を通る電流のみとなる。その結果、増幅部４”からグランドパターン１１を通って発振部２の近傍を流れる高周波成分を含んだ電流が減少し、発振部２の動作が不安定になるのを防止することができる。
【００３６】
なお、本実施形態の回路構成においても、図６に示すような実施形態２と同様の断続的な第１の間隙１２を設けたり、図７に示すような実施形態３と同様の第３の間隙１４を設けるようにしてもよい。
【００３７】
【発明の効果】
請求項１の発明は、直流電源に接続された１乃至複数のスイッチング素子を具備し負荷に高周波電力を供給する増幅部と、１次巻線と１乃至複数の２次巻線がコアに巻回されて成る駆動トランスと、水晶発振子を用いて高周波信号を出力する発振部、該発振部の高周波信号を増幅して前記駆動トランスの１次巻線に供給するプリアンプ部を有し前記駆動トランスの２次巻線に接続された各スイッチング素子を駆動する駆動部と、前記増幅部、駆動トランス並びに駆動部を構成する各回路部品が実装されたプリント基板と、前記各部を含む範囲で該プリント基板上の略全面に形成されるグランドパターンとを備えた電力増幅回路において、前記増幅部の少なくとも何れか１つのスイッチング素子と前記発振部との間の前記グランドパターン上におけるインピーダンスを増大させる第１の間隙を該グランドパターンに設け、前記駆動トランス近傍のグランドパターンに第２の間隙を設けるとともに当該第２の間隙を前記第１の間隙に接続したので、増幅部からグランドパターンを通って発振部の近傍を流れる高周波成分を含んだ電流を減少させて発振部の動作が不安定になるのを防止することができ、また、駆動トランスとグランドパターンとの距離を遠ざけてＣ結合により動作が不安定になるのを防止できるとともに、増幅部から駆動部に流れる、高周波成分を含んだ電流を減少させることができるという効果がある。
【００３８】
請求項２の発明は、前記第１の間隙が、前記グランドパターンを伝って前記スイッチング素子から前記発振部に至る最短経路を、該発振部とスイッチング素子との最短の間隔よりも長くするので、増幅部からグランドパターンを通って発振部の近傍を流れる高周波成分を含んだ電流を減少させて発振部の動作が不安定になるのを防止することができるという効果がある。
【００３９】
請求項３の発明は、前記増幅部と駆動部との境界近傍に前記第１の間隙を設けたので、増幅部から駆動部に流れる、高周波成分を含んだ電流を減少させることができるという効果がある。
【００４２】
請求項４の発明は、前記第２の間隙を前記グランドパターンの端部まで連続して形成したので、増幅部から駆動部に流れる、高周波成分を含んだ電流を減少させることができるという効果がある。
【００４３】
請求項５の発明は、前記増幅部が、２つのスイッチング素子を具備したＤ級増幅回路から成るので、動作周波数が高周波であってもスイッチング素子のスイッチング損失を抑えることができるという効果がある。
【００４４】
請求項６の発明は、前記増幅部がＣ級又はＥ級増幅回路から成るので、スイッチング素子が１個で済むことから構成の簡素化が図れるとともに、動作周波数が高周波であってもスイッチング素子のスイッチング損失を抑えることができるという効果がある。
【００４５】
請求項７の発明は、前記プリアンプ部がＣ級又はＥ級増幅回路から成るので、スイッチング素子が１個で済むことから構成の簡素化が図れるとともに、動作周波数が高周波であってもスイッチング素子のスイッチング損失を抑えることができるという効果がある。
【００４６】
請求項８の発明は、直流電源に接続された１乃至複数のスイッチング素子を具備し負荷に高周波電力を供給する増幅部と、１次巻線と１乃至複数の２次巻線がコアに巻回されて成る駆動トランスと、水晶発振子を用いて高周波信号を出力する発振部、該発振部の高周波信号を増幅して前記駆動トランスの１次巻線に供給するプリアンプ部を有し前記駆動トランスの２次巻線に接続された各スイッチング素子を駆動する駆動部と、前記増幅部、駆動トランス並びに駆動部を構成する各回路部品が実装されたプリント基板と、前記各部を含む範囲で該プリント基板上の略全面に形成されるグランドパターンとを備えた電力増幅回路において、前記増幅部の少なくとも何れか１つのスイッチング素子と前記発振部との間の前記グランドパターン上におけるインピーダンスを増大させ且つ前記増幅部と駆動部との境界近傍の前記グランドパターンに設けられる第１の間隙と、該第１の間隙に接続され前記駆動トランス近傍の前記グランドパターンから該グランドパターンの端部まで連続して形成される第２の間隙と、２つのスイッチング素子を具備したＤ級増幅回路から成る前記増幅部と、Ｃ級又はＥ級増幅回路から成る前記プリアンプ部とを備え、ガラスバルブ内に放電ガスを封入した無電極放電灯を有する前記負荷に高周波電力を供給するので、増幅部からグランドパターンを通って発振部の近傍を流れる高周波成分を含んだ電流を減少させて発振部の動作が不安定になるのを防止することができ、また増幅部から駆動部に流れる、高周波成分を含んだ電流を減少させることができ、さらに駆動トランスとグランドパターンとの距離を遠ざけてＣ結合により動作が不安定になるのを防止でき、動作周波数が高周波であってもスイッチング素子のスイッチング損失を抑えることができるとともに、無電極放電灯を点灯させることができるという効果がある。
【図面の簡単な説明】
【図１】実施形態１のプリント基板上の実装状態を示す平面図である。
【図２】実施形態２のプリント基板上の実装状態を示す平面図である。
【図３】実施形態３のプリント基板上の実装状態を示す平面図である。
【図４】実施形態４を示す回路図である。
【図５】同上のプリント基板上の実装状態を示す平面図である。
【図６】同上のプリント基板上の他の実装状態を示す平面図である。
【図７】同上のプリント基板上のさらに他の実装状態を示す平面図である。
【図８】実施形態５を示す回路図である。
【図９】従来例１におけるプリント基板上の実装状態を示す平面図である。
【図１０】従来例２を示す回路図である。
【図１１】同上の一部省略した分解斜視図である。
【図１２】同上の平面図である。
【図１３】同上のプリント基板上の実装状態を示す平面図である。
【符号の説明】
１  駆動部
２  発振部
３  プリアンプ部
４  増幅部
１０  プリント基板
１１  グランドパターン
１２  第１の間隙
Ｑ１，Ｑ２  スイッチング素子
Ｔ１  駆動トランス
【図１】
0003799814.tif 000002
【図２】
0003799814.tif 000003
【図３】
0003799814.tif 000004
【図４】
0003799814.tif 000005
【図５】
0003799814.tif 000006
【図６】
0003799814.tif 000007
【図７】
0003799814.tif 000008
【図８】
0003799814.tif 000009
【図９】
0003799814.tif 000010
【図１０】
0003799814.tif 000011
【図１１】
0003799814.tif 000012
【図１２】
0003799814.tif 000013
【図１３】
0003799814.tif 000014